(57)【要約】      （修正有）【課題】自動的に水を加える花瓶を提供する。【解決手段】花瓶２２の中には花と水を置くことができる上方へ開口した花瓶チャンバ２１、花瓶の左右両側花瓶チャンバの中の水を入れ替えられる入替え機構、上方へ開口した貯水チャンバ１１が設置されている。花瓶チャンバの中の水が蒸発した後、貯水チャンバの中の水が花瓶チャンバの中に流れ込み、自動的に水を加えることを実現する。【選択図】図１
2020182787.tif 000002
【特許請求の範囲】
【請求項１】
正面視で、花瓶を含み、前記花瓶の中には花と水を置くことができる上方へ開口した花瓶チャンバが設置され、前記花瓶チャンバの左右両側の内壁にはゴム蓋チャンバが連通するように設置され、前記ゴム蓋チャンバの中にはゴム蓋がスライドできるように装着され、前記ゴム蓋の頂部端面には第一ラックが固定的に装着され、前記ゴム蓋チャンバの頂壁には第一ラックチャンバが連通するように設置され、前記第一ラックチャンバが前記第一ラックとスライドできるように装着され、前記ゴム蓋の頂部端面と前記ゴム蓋チャンバの頂壁との間には第一ばねが固定的に装着され、前記ゴム蓋チャンバの後側には前記花瓶チャンバに連通している入口が設置され、前記第一ラックチャンバの片側には回転チャンバが連通するように設置され、前記回転チャンバの前後内壁の間には回転ロッドが回転できるように装着され、前記回転ロッドにはギヤが固定的に装着され、前記ギヤが前記第一ラックと噛み合っており、前記回転チャンバの片側には第二ラックチャンバが連通するように設置され、前記第二ラックチャンバが下方へ伸びて前記入口の底壁を貫通しており、前記第二ラックチャンバの中には第二ラックがスライドできるように装着され、前記花瓶チャンバの中の水が前記ゴム蓋チャンバの中に入った時、水が前記ゴム蓋と前記第一ラックを推し動かして上方へ移動させ、前記第一ラックが前記ギヤの伝動により前記第二ラックを連動させて下方へ移動させ、前記第二ラックが前記入口を密封し、水が再び前記花瓶チャンバの中に入ることを防止し、前記花瓶の中には前記花瓶チャンバの中の水を出すことができる放水機構が左右対称的に設置され、前記放水機構は前記花瓶の中に左右対称的に設置された第一噛み合いチャンバを含み、前記第一噛み合いチャンバの片側には第二噛み合いチャンバが設置され、前記第二噛み合いチャンバと前記第一噛み合いチャンバとの間には前記花瓶の片側端面を貫通している伝動ロッドが回転できるように装着され、前記伝動ロッドにはつまみが固定的に装着され、前記つまみを回転させることにより前記放水機構に動力を提供し、前記花瓶の左右両側にはまた前記花瓶チャンバの中の水を入れ替えられる入替え機構が設置されていることを特徴とする自動的に水を加えられる花瓶。
【請求項２】
前記放水機構はまた前記伝動ロッドに固定的に装着された前記第一噛み合いチャンバの中に位置している第一ベベルギヤを含み、前記第一噛み合いチャンバの上方には第一ネジ山チャンバが設置され、前記第一ネジ山チャンバの中には第一ネジ山ブロックがスライドできるように装着され、前記第一ネジ山ブロックの中には下方へ開口した第一ネジ山孔が設置され、前記第一ネジ山チャンバと前記第一噛み合いチャンバとの間には第一ネジ山ロッドが回転できるように装着され、前記第一ネジ山ロッドが前記第一ネジ山孔とネジ山により装着され、前記第一ネジ山ロッドの底部端面には第二ベベルギヤが固定的に装着され、前記第二ベベルギヤが前記第一ベベルギヤと噛み合っており、前記第一ネジ山チャンバの頂壁には前記入口の頂壁を貫通している移動チャンバが連通するように設置され、前記移動チャンバの中には移動板がスライドできるように装着され、前記移動板が前記第一ネジ山ブロックと固定的に連結され、前記伝動ロッドの片側端面には第三ベベルギヤが固定的に装着され、前記第二噛み合いチャンバの下方には第二ネジ山チャンバが設置され、前記第二ネジ山チャンバの中には第二ネジ山ブロックがスライドできるように装着され、前記第二ネジ山ブロックの中には上方へ開口した第二ネジ山孔が設置され、前記第二ネジ山チャンバと前記第二噛み合いチャンバとの間には第二ネジ山ロッドが回転できるように装着され、前記第二ネジ山ロッドが前記第二ネジ山孔とネジ山により装着され、前記第二ネジ山ロッドの頂部端面には第四ベベルギヤが固定的に装着され、前記第四ベベルギヤが前記第三ベベルギヤと噛み合っており、前記花瓶チャンバの左右両側の内壁には出口が連通するように設置され、前記第二ネジ山チャンバの下方には前記出口の底壁を貫通しているスライドチャンバが連通するように設置され、前記スライドチャンバの中にはスライド板がスライドできるように装着され、前記スライド板が前記第二ネジ山ブロックと固定的に連結されていることを特徴とする請求項１に記載の自動的に水を加えられる花瓶。
【請求項３】
前記入替え機構は前記花瓶の左右両側端面に前後対称的に固定的に装着された固定箱を含み、前記固定箱の中にはばねチャンバが設置され、前記ばねチャンバの中には挟みブロックがスライドできるように装着され、前記挟みブロックと前記ばねチャンバとの間には第二ばねが固定的に装着され、前記花瓶の左右両側端面には補助板が固定的に装着され、前記補助板の下方には支持板が固定的に装着され、前記支持板には箱主体が置かれ、前記補助板が前記箱主体を支持でき、前記挟みブロックは前記箱主体をきつく挟むことができ、前記箱主体の中には上方へ開口した貯水チャンバが設置され、前記貯水チャンバには第一空き溝が連通するように設置され、前記貯水チャンバの片側端面には第一漏れ防止管が固定的に装着され、前記第一漏れ防止管は前記入口の中に滑り込むことができ、前記貯水チャンバの下方には抜き孔が設置され、前記抜き孔の下方には水入替えチャンバが設置され、前記水入替えチャンバには第二空き溝が連通するように設置され、前記水入替えチャンバの片側端面には第二漏れ防止管が固定的に装着され、前記花瓶の左右両側端面には挿し溝が設置され、前記第二漏れ防止管は前記挿し溝の中に引っ掛かることができることを特徴とする請求項１に記載の自動的に水を加えられる花瓶。
【発明の詳細な説明】
【技術分野】
【０００１】
本発明は花瓶分野を取り上げて、具体的には自動的に水を加えられる花瓶である。
【背景技術】
【０００２】
花が枯れることを遅くするため、人々はいつも花瓶に水を加え、人は出張が原因で長時間留守である時、花瓶の中の水が蒸発して減り、一般の花瓶は自動的に水を加えられる機能を有しなく、花瓶の中の水が蒸発し過ぎた後で花がすぐ枯れることをもたらし、しかも一般の花瓶に水を入れ替える時に花瓶をひっくり返す必要があり、花瓶が滑り落ちて壊れる可能性がある。
【先行技術文献】
【特許文献】
【０００３】
【特許文献１】中国特許出願公開第１０８２０７３９５号明細書
【発明の概要】
【発明が解決しようとする課題】
【０００４】
本発明は自動的に水を加えられる花瓶を提供し、従来技術における上記欠点を解消することを目的とする。
【課題を解決するための手段】
【０００５】
本発明の実施例の自動的に水を加えられる花瓶は、花瓶を含み、前記花瓶の中には花と水を置くことができる上方へ開口した花瓶チャンバが設置され、前記花瓶チャンバの左右両側の内壁にはゴム蓋チャンバが連通するように設置され、前記ゴム蓋チャンバの中にはゴム蓋がスライドできるように装着され、前記ゴム蓋の頂部端面には第一ラックが固定的に装着され、前記ゴム蓋チャンバの頂壁には第一ラックチャンバが連通するように設置され、前記第一ラックチャンバが前記第一ラックとスライドできるように装着され、前記ゴム蓋の頂部端面と前記ゴム蓋チャンバの頂壁との間には第一ばねが固定的に装着され、前記ゴム蓋チャンバの後側には前記花瓶チャンバに連通している入口が設置され、前記第一ラックチャンバの片側には回転チャンバが連通するように設置され、前記回転チャンバの前後内壁の間には回転ロッドが回転できるように装着され、前記回転ロッドにはギヤが固定的に装着され、前記ギヤが前記第一ラックと噛み合っており、前記回転チャンバの片側には第二ラックチャンバが連通するように設置され、前記第二ラックチャンバが下方へ伸びて前記入口の底壁を貫通しており、前記第二ラックチャンバの中には第二ラックがスライドできるように装着され、前記花瓶チャンバの中の水が前記ゴム蓋チャンバの中に入った時、水が前記ゴム蓋と前記第一ラックを推し動かして上方へ移動させ、前記第一ラックが前記ギヤの伝動により前記第二ラックを連動させて下方へ移動させ、前記第二ラックが前記入口を密封し、水が再び前記花瓶チャンバの中に入ることを防止し、前記花瓶の中には前記花瓶チャンバの中の水を出すことができる放水機構が左右対称的に設置され、前記放水機構は前記花瓶の中に左右対称的に設置された第一噛み合いチャンバを含み、前記第一噛み合いチャンバの片側には第二噛み合いチャンバが設置され、前記第二噛み合いチャンバと前記第一噛み合いチャンバとの間には前記花瓶の片側端面を貫通している伝動ロッドが回転できるように装着され、前記伝動ロッドにはつまみが固定的に装着され、前記つまみを回転させることにより前記放水機構に動力を提供し、前記花瓶の左右両側にはまた前記花瓶チャンバの中の水を入れ替えられる入替え機構が設置されている。
【０００６】
更の技術プランとしては、前記放水機構はまた前記伝動ロッドに固定的に装着された前記第一噛み合いチャンバの中に位置している第一ベベルギヤを含み、前記第一噛み合いチャンバの上方には第一ネジ山チャンバが設置され、前記第一ネジ山チャンバの中には第一ネジ山ブロックがスライドできるように装着され、前記第一ネジ山ブロックの中には下方へ開口した第一ネジ山孔が設置され、前記第一ネジ山チャンバと前記第一噛み合いチャンバとの間には第一ネジ山ロッドが回転できるように装着され、前記第一ネジ山ロッドが前記第一ネジ山孔とネジ山により装着され、前記第一ネジ山ロッドの底部端面には第二ベベルギヤが固定的に装着され、前記第二ベベルギヤが前記第一ベベルギヤと噛み合っており、前記第一ネジ山チャンバの頂壁には前記入口の頂壁を貫通している移動チャンバが連通するように設置され、前記移動チャンバの中には移動板がスライドできるように装着され、前記移動板が前記第一ネジ山ブロックと固定的に連結され、前記伝動ロッドの片側端面には第三ベベルギヤが固定的に装着され、前記第二噛み合いチャンバの下方には第二ネジ山チャンバが設置され、前記第二ネジ山チャンバの中には第二ネジ山ブロックがスライドできるように装着され、前記第二ネジ山ブロックの中には上方へ開口した第二ネジ山孔が設置され、前記第二ネジ山チャンバと前記第二噛み合いチャンバとの間には第二ネジ山ロッドが回転できるように装着され、前記第二ネジ山ロッドが前記第二ネジ山孔とネジ山により装着され、前記第二ネジ山ロッドの頂部端面には第四ベベルギヤが固定的に装着され、前記第四ベベルギヤが前記第三ベベルギヤと噛み合っており、前記花瓶チャンバの左右両側の内壁には出口が連通するように設置され、前記第二ネジ山チャンバの下方には前記出口の底壁を貫通しているスライドチャンバが連通するように設置され、前記スライドチャンバの中にはスライド板がスライドできるように装着され、前記スライド板が前記第二ネジ山ブロックと固定的に連結されている。
【０００７】
更の技術プランとしては、前記入替え機構は前記花瓶の左右両側端面に前後対称的に固定的に装着された固定箱を含み、前記固定箱の中にはばねチャンバが設置され、前記ばねチャンバの中には挟みブロックがスライドできるように装着され、前記挟みブロックと前記ばねチャンバとの間には第二ばねが固定的に装着され、前記花瓶の左右両側端面には補助板が固定的に装着され、前記補助板の下方には支持板が固定的に装着され、前記支持板には箱主体が置かれ、前記補助板が前記箱主体を支持でき、前記挟みブロックは前記箱主体をきつく挟むことができ、前記箱主体の中には上方へ開口した貯水チャンバが設置され、前記貯水チャンバには第一空き溝が連通するように設置され、前記貯水チャンバの片側端面には第一漏れ防止管が固定的に装着され、前記第一漏れ防止管は前記入口の中に滑り込むことができ、前記貯水チャンバの下方には抜き孔が設置され、前記抜き孔の下方には水入替えチャンバが設置され、前記水入替えチャンバには第二空き溝が連通するように設置され、前記水入替えチャンバの片側端面には第二漏れ防止管が固定的に装着され、前記花瓶の左右両側端面には挿し溝が設置され、前記第二漏れ防止管は前記挿し溝の中に引っ掛かることができる。
【発明の効果】
【０００８】
本発明の有益効果は：本発明の水入替え機構は花瓶の水を入れ替えることができ、花瓶をひっくり返す必要がなく、水を入れ替える時に花瓶が手から滑り落ちて壊れる状況を避け、しかもゴム蓋と第二ラックの上下移動により装置の自動的に水を加えることを実現でき、これにより花瓶の中の水の量を一定に維持し、普及する価値がある。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は図１のＡ―Ａ方向の断面構成模式図
【図３】図３は図１のＡの拡大模式図
【図４】図４は図１のＢの拡大模式図
【図５】図５は図１のＣの拡大模式図
【発明を実施するための形態】
【００１１】
図１〜５を参照し、本発明の実施例の自動的に水を加えられる花瓶は、花瓶２２を含み、前記花瓶２２の中には花と水を置くことができる上方へ開口した花瓶チャンバ２１が設置され、前記花瓶チャンバ２１の左右両側の内壁にはゴム蓋チャンバ２６が連通するように設置され、前記ゴム蓋チャンバ２６の中にはゴム蓋２７がスライドできるように装着され、前記ゴム蓋２７の頂部端面には第一ラック３０が固定的に装着され、前記ゴム蓋チャンバ２６の頂壁には第一ラックチャンバ３２が連通するように設置され、前記第一ラックチャンバ３２が前記第一ラック３０とスライドできるように装着され、前記ゴム蓋２７の頂部端面と前記ゴム蓋チャンバ２６の頂壁との間には第一ばね２８が固定的に装着され、前記ゴム蓋チャンバ２６の後側には前記花瓶チャンバ２１に連通している入口２９が設置され、前記第一ラックチャンバ３２の片側には回転チャンバ３４が連通するように設置され、前記回転チャンバ３４の前後内壁の間には回転ロッド３１が回転できるように装着され、前記回転ロッド３１にはギヤ３３が固定的に装着され、前記ギヤ３３が前記第一ラック３０と噛み合っており、前記回転チャンバ３４の片側には第二ラックチャンバ３５が連通するように設置され、前記第二ラックチャンバ３５が下方へ伸びて前記入口２９の底壁を貫通しており、前記第二ラックチャンバ３５の中には第二ラック３６がスライドできるように装着され、前記花瓶チャンバ２１の中の水が前記ゴム蓋チャンバ２６の中に入った時、水が前記ゴム蓋２７と前記第一ラック３０を推し動かして上方へ移動させ、前記第一ラック３０が前記ギヤ３３の伝動により前記第二ラック３６を連動させて下方へ移動させ、前記第二ラック３６が前記入口２９を密封し、水が再び前記花瓶チャンバ２１の中に入ることを防止し、前記花瓶２２の中には前記花瓶チャンバ２１の中の水を出すことができる放水機構７０が左右対称的に設置され、前記放水機構７０は前記花瓶２２の中に左右対称的に設置された第一噛み合いチャンバ５０を含み、前記第一噛み合いチャンバ５０の片側には第二噛み合いチャンバ５６が設置され、前記第二噛み合いチャンバ５６と前記第一噛み合いチャンバ５０との間には前記花瓶２２の片側端面を貫通している伝動ロッド４８が回転できるように装着され、前記伝動ロッド４８にはつまみ１７が固定的に装着され、前記つまみ１７を回転させることにより前記放水機構７０に動力を提供し、前記花瓶２２の左右両側にはまた前記花瓶チャンバ２１の中の水を入れ替えられる入替え機構８０が設置されている。  
【００１２】
前記放水機構７０はまた前記伝動ロッド４８に固定的に装着された前記第一噛み合いチャンバ５０の中に位置している第一ベベルギヤ４９を含み、前記第一噛み合いチャンバ５０の上方には第一ネジ山チャンバ４４が設置され、前記第一ネジ山チャンバ４４の中には第一ネジ山ブロック４５がスライドできるように装着され、前記第一ネジ山ブロック４５の中には下方へ開口した第一ネジ山孔５８が設置され、前記第一ネジ山チャンバ４４と前記第一噛み合いチャンバ５０との間には第一ネジ山ロッド４６が回転できるように装着され、前記第一ネジ山ロッド４６が前記第一ネジ山孔５８とネジ山により装着され、前記第一ネジ山ロッド４６の底部端面には第二ベベルギヤ４７が固定的に装着され、前記第二ベベルギヤ４７が前記第一ベベルギヤ４９と噛み合っており、前記第一ネジ山チャンバ４４の頂壁には前記入口２９の頂壁を貫通している移動チャンバ３７が連通するように設置され、前記移動チャンバ３７の中には移動板１４がスライドできるように装着され、前記移動板１４が前記第一ネジ山ブロック４５と固定的に連結され、前記伝動ロッド４８の片側端面には第三ベベルギヤ５７が固定的に装着され、前記第二噛み合いチャンバ５６の下方には第二ネジ山チャンバ５３が設置され、前記第二ネジ山チャンバ５３の中には第二ネジ山ブロック５２がスライドできるように装着され、前記第二ネジ山ブロック５２の中には上方へ開口した第二ネジ山孔５１が設置され、前記第二ネジ山チャンバ５３と前記第二噛み合いチャンバ５６との間には第二ネジ山ロッド５４が回転できるように装着され、前記第二ネジ山ロッド５４が前記第二ネジ山孔５１とネジ山により装着され、前記第二ネジ山ロッド５４の頂部端面には第四ベベルギヤ５５が固定的に装着され、前記第四ベベルギヤ５５が前記第三ベベルギヤ５７と噛み合っており、前記花瓶チャンバ２１の左右両側の内壁には出口２５が連通するように設置され、前記第二ネジ山チャンバ５３の下方には前記出口２５の底壁を貫通しているスライドチャンバ２４が連通するように設置され、前記スライドチャンバ２４の中にはスライド板２３がスライドできるように装着され、前記スライド板２３が前記第二ネジ山ブロック５２と固定的に連結され、花瓶チャンバ２１の中の水を排出する時、つまみ１７を回転させて伝動ロッド４８を連動させて回転させ、伝動ロッド４８が回転して第一ベベルギヤ４９と第三ベベルギヤ５７とを連動させて回転させ、第一ベベルギヤ４９が第二ベベルギヤ４７により第一ネジ山ロッド４６を連動させて回転させ、これにより第一ネジ山ブロック４５が上方へ移動して移動板１４を推し動かして入口２９を密封し、入替え機構８０の中の水が花瓶チャンバ２１の中に入ることを防止し、第三ベベルギヤ５７が第四ベベルギヤ５５により第二ネジ山ロッド５４を連動させて回転させ、これにより第二ネジ山ブロック５２が上方へ移動してスライド板２３を連動させて出口２５と連通させ、花瓶チャンバ２１の中の水を出口２５により排出する。    
【００１３】
前記入替え機構８０は前記花瓶２２の左右両側端面に前後対称的に固定的に装着された固定箱３８を含み、前記固定箱３８の中にはばねチャンバ３９が設置され、前記ばねチャンバ３９の中には挟みブロック４１がスライドできるように装着され、前記挟みブロック４１と前記ばねチャンバ３９との間には第二ばね４０が固定的に装着され、前記花瓶２２の左右両側端面には補助板１５が固定的に装着され、前記補助板１５の下方には支持板２０が固定的に装着され、前記支持板２０には箱主体１３が置かれ、前記補助板１５が前記箱主体１３を支持でき、前記挟みブロック４１は前記箱主体１３をきつく挟むことができ、前記箱主体１３の中には上方へ開口した貯水チャンバ１１が設置され、前記貯水チャンバ１１には第一空き溝１２が連通するように設置され、前記貯水チャンバ１１の片側端面には第一漏れ防止管４３が固定的に装着され、前記第一漏れ防止管４３は前記入口２９の中に滑り込むことができ、前記貯水チャンバ１１の下方には抜き孔１６が設置され、前記抜き孔１６の下方には水入替えチャンバ１８が設置され、前記水入替えチャンバ１８には第二空き溝１９が連通するように設置され、前記水入替えチャンバ１８の片側端面には第二漏れ防止管４２が固定的に装着され、前記花瓶２２の左右両側端面には挿し溝５９が設置され、前記第二漏れ防止管４２は前記挿し溝５９の中に引っ掛かることができ、花瓶チャンバ２１の中の水を入れ替える時、貯水チャンバ１１の中に水をいっぱい入れ、放水機構７０を開けた後、花瓶チャンバ２１の中の水が出口２５により水入替えチャンバ１８の中に入り、そして放水機構７０を閉じ、貯水チャンバ１１の中の水が入口２９により花瓶チャンバ２１に入り、第一漏れ防止管４３と第二漏れ防止管４２とが漏れ防止の役割を果たす。
【００１４】
使用する時、花瓶チャンバ２１の中の水を排出する時、つまみ１７を回転させて伝動ロッド４８を連動させて回転させ、伝動ロッド４８が回転して第一ベベルギヤ４９と第三ベベルギヤ５７とを連動させて回転させ、第一ベベルギヤ４９が第二ベベルギヤ４７により第一ネジ山ロッド４６を連動させて回転させ、これにより第一ネジ山ブロック４５が上方へ移動して移動板１４を推し動かして入口２９を密封し、入替え機構８０の中の水が花瓶チャンバ２１の中に入ることを防止し、第三ベベルギヤ５７が第四ベベルギヤ５５により第二ネジ山ロッド５４を連動させて回転させ、これにより第二ネジ山ブロック５２が上方へ移動してスライド板２３を連動させて出口２５と連通させ、花瓶チャンバ２１の中の水を出口２５により排出し、花瓶チャンバ２１の中の水を入れ替える時、貯水チャンバ１１の中に水をいっぱい入れ、放水機構７０を開けた後、花瓶チャンバ２１の中の水が出口２５により水入替えチャンバ１８の中に入り、そして放水機構７０を閉じ、貯水チャンバ１１の中の水が入口２９により花瓶チャンバ２１に入り、第一漏れ防止管４３と第二漏れ防止管４２とが漏れ防止の役割を果たし、花瓶チャンバ２１の中の水がゴム蓋チャンバ２６の中に入った時、水がゴム蓋２７と第一ラック３０を推し動かして上方へ移動させ、第一ラック３０がギヤ３３の伝動により第二ラック３６を連動させて下方へ移動させ、第二ラック３６が入口２９を密封し、水が再び花瓶チャンバ２１の中に入ることを防止し、花瓶チャンバ２１の中の水が蒸発した後、第二ラック３６が上方へ移動し、貯水チャンバ１１の中の水が再び花瓶チャンバ２１の中に流れ込み、装置の自動的に水を加えることを実現する。
【００１５】
本発明の有益効果は：本発明の水入替え機構は花瓶の水を入れ替えることができ、花瓶をひっくり返す必要がなく、水を入れ替える時に花瓶が手から滑り落ちて壊れる状況を避け、しかもゴム蓋と第二ラックの上下移動により装置の自動的に水を加えることを実現でき、これにより花瓶の中の水の量を一定に維持し、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182787.tif 000003
【図２】
2020182787.tif 000004
【図３】
2020182787.tif 000005
【図４】
2020182787.tif 000006
【図５】
2020182787.tif 000007